(57)【要約】  例えば、非リアルタイムトラヒックを伴う情報パケットを搬送する接続のための推定されるピークレートより小さい所定の容量を予約する手段（３１６、４１０）と、非リアルタイムトラヒックを伴う情報パケットおよびリアルタイムトラヒックを伴う情報パケットを、別個の待ち行列に仕分けする手段（３１６、４１０）と、非リアルタイムトラヒックを伴う情報パケットを、前記非リアルタイム待ち行列から除去するための手段（３１６、４１０）とを備える通信システムのネットワーク要素。【選択図】図３
2008502245.tif 000002
【特許請求の範囲】
【請求項１】
非リアルタイムトラヒックを伴う情報パケットを搬送する少なくとも一つの接続のピークレートを推定する段階と（２０２）、
非リアルタイムトラヒックを伴う前記情報パケットを搬送する接続のための、推定されたピークレートより小さい所定の容量を予約する段階と（２０４）、
非リアルタイムトラヒックを伴う情報パケットとリアルタイムトラヒックを伴う情報パケットとを別個の待ち行列に仕分けする段階と（２０６）、
充填度の最大限界を有する非リアルタイムトラヒック待ち行列が充填度の最大限界に到達したとき、前記リアルタイムトラヒック待ち行列から非リアルタイムトラヒックを伴う情報パケットを除去する段階と（２１０）、
を備えることを特徴とする通信システムの送信制御方法。
【請求項２】
請求項１に記載の方法であって、更に、
非リアルタイムトラヒックを伴う情報が非リアルタイムトラヒック待ち行列から除去されるときに、非リアルタイムトラヒック待ち行列を空にする段階を備えることを特徴とする方法。
【請求項３】
請求項１に記載の方法であって、更に、
前記通信システムにおいて非同期転送モード（ＡＴＭ）を使用する段階を備え、前記方法は、ＡＡＬ２において適用され、それはＡＴＭアダプテーションレイヤを備えることを特徴とする方法。
【請求項４】
請求項１に記載の方法において、前記予約する段階が、現在または予測されるシステムの負荷および接続において転送されるトラヒックの重要性というパラメータのうち少なくとも一つを考慮に入れることを備えることを特徴とする方法。
【請求項５】
請求項１に記載の方法において、前記除去する段階が、まずより重要でない接続からパケットを除去すること、輻輳が終了するまで特定のパケットを除去すること、待ち行列の所定の数のパケットを除去すること、および、輻輳を引き起こした接続のパケットを除去することを含む一組の法則のうち少なくとも一つに基づくことを特徴とする方法。
【請求項６】
非リアルタイムトラヒックを伴う情報パケットを搬送する少なくとも一つの接続のピークレートを推定するための手段（３１６、４１０）と、
非リアルタイムトラヒックを伴う情報パケットを搬送する接続のための、推定されたピークレートより小さい所定の容量を予約する手段（３１６、４１０）と、
非リアルタイムトラヒックを伴う情報パケットとリアルタイムトラヒックを伴う情報パケットとを別個の待ち行列に仕分けするための手段（３１６、４１０）と、
充填度の最大限界を有する非リアルタイムトラヒック待ち行列が充填度の最大限界に到達したか否かを調べる手段（３１６、４１０）と、
非リアルタイムトラヒックを伴う情報パケットを前記非リアルタイムトラヒック待ち行列から除去するための手段（３１６、４１０）と、
を備えることを特徴とするネットワーク要素。
【請求項７】
請求項６に記載のネットワーク要素であって、更に、
非トラヒック待ち行列を空にするための手段（３１６、４１０）を備えることを特徴とするネットワーク要素。
【請求項８】
請求項６に記載のネットワーク要素であって、前記ネットワーク要素が非同期転送モード（ＡＴＭ）を使用する通信システムの一部であることを特徴とするネットワーク要素。
【請求項９】
請求項６に記載のネットワーク要素であって、さらに、現在または予測されるシステムの負荷および接続において転送されるトラヒックの重要性を含む一組のパラメータのうちの少なくとも一つを考慮に入れ、非リアルタイムトラヒックを伴う情報を搬送する接続のための容量を予約するための手段を備えることを特徴とするネットワーク要素。
【請求項１０】
請求項６に記載のネットワーク要素であって、まずより重要でない接続からパケットを除去すること、輻輳が終了するまで特定のパケットを除去すること、待ち行列の所定数のパケットを除去すること、および輻輳を引き起こした接続のパケットを除去することを含む一組の法則のうち少なくとも一つに基づいて情報パケットを除去するための手段を含むことを特徴とするネットワーク要素。
【請求項１１】
非リアルタイムトラヒックを伴う情報パケットを搬送する少なくとも一つの接続のピークレートを推定するための手段（３１６、４１０）と、
非リアルタイムトラヒックを伴う情報パケットを搬送する接続のための、推定されるピークレートより小さい所定の容量を予約するための手段（３１６、４１０）と、
非リアルタイムトラヒックを伴う情報パケットとリアルタイムトラヒックを伴う情報パケットを別個の待ち行列へ仕分けするための手段（３１６、４１０）と、
非リアルタイム待ち行列が充填度の最大限界に到達したか否かを調べるための手段（３１６、４１０）と、
非リアルタイムトラヒックを伴う情報パケットを前記リアルタイムトラヒック待ち行列から除去するための手段（３１６、４１０）と、
を備えることを特徴とする基地局。
【請求項１２】
非リアルタイムトラヒックを伴う情報パケットを搬送する少なくとも一つの接続のピークレートを推定するための手段（３１６、４１０）と、
非リアルタイムトラヒックを伴う情報パケットを搬送する接続のための、推定ピークレートより小さい所定の容量を予約するための手段（３１６、４１０）と、
非リアルタイムトラヒックを伴う情報パケットとリアルタイムトラヒックを伴う情報パケットとを別個の待ち行列に仕分けするための手段（３１６、４１０）と、
充填度の最大限界を有する非リアルタイムトラヒック待ち行列が充填度の最大限界に到達したか否かを調べるための手段（３１６、４１０）と、
非リアルタイムトラヒックを伴う情報パケットを、前記非リアルタイムトラヒック待ち行列から除去するための手段（３１６、４１０）と、
を備えることを特徴とする無線ネットワーク制御装置。
【請求項１３】
非リアルタイムトラヒックを伴う情報パケットを搬送する少なくとも一つの接続のピークレートを推定し、
非リアルタイムトラヒックを伴う情報パケットを搬送する接続のための、推定される非リアルタイムトラヒックより小さい所定の容量を予約し、
推定されるピークレートより小さい所定の容量を送受信し、
非リアルタイムトラヒックを伴う情報パケットとリアルタイムトラヒックを伴う情報パケットを別個の待ち行列へ仕分けし、
充填度の最大限界を有する非リアルタイムトラヒック待ち行列が充填度の最大限界に到達したか否かを調べ、
非リアルタイムトラヒックを伴う情報パケットを、前記リアルタイムトラヒック待ち行列から除去する、
ことを特徴とする基地局。
【請求項１４】
非リアルタイムトラヒックを伴う情報パケットを搬送する少なくとも一つの接続のピークレートを推定し、
非リアルタイムトラヒックを伴う情報パケットを搬送する接続のための、推定される非リアルタイムトラヒックより小さい所定の容量を予約し、
非リアルタイムトラヒックを伴う情報パケットとリアルタイムトラヒックを伴う情報パケットを別個の待ち行列へ仕分けし、
充填度の最大限界を有する非リアルタイムトラヒック待ち行列が充填度の最大限界に到達したか否かを調べ、
非リアルタイムトラヒックを伴う情報パケットを、前記リアルタイムトラヒック待ち行列から除去する、
ことを特徴とする無線ネットワーク制御装置。
【請求項１５】
非リアルタイムトラヒックを伴う情報パケットを搬送する少なくとも一つの接続のピークレートを推定し、
非リアルタイムトラヒックを伴う情報パケットを搬送する接続のための、推定される非リアルタイムトラヒックより小さい所定の容量を予約し、
非リアルタイムトラヒックを伴う情報パケットとリアルタイムトラヒックを伴う情報パケットを別個の待ち行列へ仕分けし、
充填度の最大限界を有する非リアルタイムトラヒック待ち行列が充填度の最大限界に到達したか否かを調べ、
非リアルタイムトラヒックを伴う情報パケットを、前記リアルタイムトラヒック待ち行列から除去する、
ことを特徴とするネットワーク要素。
【請求項１６】
非リアルタイムトラヒックを伴う情報パケットを搬送する少なくとも一つの接続のピークレートを推定し、
非リアルタイムトラヒックを伴う情報パケットを搬送する接続のための、推定される非リアルタイムトラヒックより小さい所定の容量を予約し、
非リアルタイムトラヒックを伴う情報パケットとリアルタイムトラヒックを伴う情報パケットを別個の待ち行列へ仕分けし、
充填度の最大限界を有する非リアルタイムトラヒック待ち行列が充填度の最大限界に到達したか否かを調べ、
非リアルタイムトラヒックを伴う情報パケットを、前記リアルタイムトラヒック待ち行列から除去する、
プロセッサを備えることを特徴とするネットワーク要素。
【請求項１７】
請求項１５に記載のネットワーク要素であって、さらに、非リアルタイムトラヒック待ち行列を空にするプロセッサを備えることを特徴とするネットワーク要素。
【請求項１８】
請求項１５に記載のネットワーク要素であって、さらに、現在または予測されるシステムの負荷および接続において転送されるトラヒックの重要性を含む一組のパラメータのうちの少なくとも一つを考慮に入れ、非リアルタイムトラヒックを伴う情報を搬送する接続のための容量を予約するプロセッサを備えることを特徴とするネットワーク要素。
【請求項１９】
請求項１５に記載のネットワーク要素であって、まずより重要でない接続からパケットを除去すること、輻輳が終了するまで特定のパケットを除去すること、待ち行列の所定数のパケットを除去すること、および輻輳を引き起こした接続のパケットを除去することを含む一組の法則のうち少なくとも一つに基づいて情報パケットを除去するプロセッサを備えることを特徴とするネットワーク要素。
【請求項２０】
非リアルタイムトラヒックを伴う情報パケットを搬送する少なくとも一つの接続のピークレートを推定し、
非リアルタイムトラヒックを伴う情報パケットを搬送する接続のための、推定される非リアルタイムトラヒックより小さい所定の容量を予約し、
非リアルタイムトラヒックを伴う情報パケットとリアルタイムトラヒックを伴う情報パケットを別個の待ち行列へ仕分けし、
充填度の最大限界を有する非リアルタイムトラヒック待ち行列が充填度の最大限界に到達したか否かを調べ、
非リアルタイムトラヒックを伴う情報パケットを、前記リアルタイムトラヒック待ち行列から除去する、
プロセッサを備えることを特徴とする基地局。
【発明の詳細な説明】
【技術分野】
【０００１】
本発明は、送信制御方法、ネットワーク要素、基地局および無線ネットワーク制御装置に関連する。
【背景技術】
【０００２】
複数の通信システムにおいて、コアネットワーク転送はＡＴＭ（非同期転送モード）に基づく。ＡＴＭは、一般的には、固定長データパケットを用いた非同期時分割多重に基づく転送手順である。ＡＴＭは通常、高速転送および様々な種類のデータ、音声およびビデオ信号のスイッチングのために使用される。
【発明の開示】
【発明が解決しようとする課題】
【０００３】
無線通信システムの制御ユニットと基地局との間の、ＷＣＤＭＡ（広域符号分割多元接続）においてはＩｕｂと呼ばれるインタフェースは、しばしば、送信容量の消費および関連費用のために無線通信システムにおける容量障壁である。ＡＴＭは統計的な多重化のための技術的な手段を提供するが、インタフェースのリアルタイムな振舞い、および、その上で動作するプロトコルに起因して、その統計的な多重化を完全に活用することはできない。
【０００４】
高容量パケット交換データ送信接続（例えば、ウェブ・ブラウジング）において、システムの全体の容量を予約できるユーザは少なく、それはそのシステムにおける低下されたエンドユーザのスループットを導くこととなる。
【課題を解決するための手段】
【０００５】
本発明の一つの態様によれば、非リアルタイムトラヒックを伴う情報パケットを搬送する少なくとも一つの接続のピークレートを推定し、非リアルタイムトラヒックを伴う情報パケットを搬送する接続のために、推定されたピークレートより小さい所定の容量を予約し、非リアルタイムトラヒックを伴う情報パケットおよびリアルタイムトラヒックを伴う情報パケットを別個の待ち行列に仕分けし、もし、充填度の最大限界を有する非リアルタイムトラヒック待ち行列が充填度の最大限界に到達した場合、前記非リアルタイムトラヒック待ち行列から非リアルタイムトラヒックを伴う情報パケットを除去する通信システムにおける送信制御方法が提供される。
【０００６】
本発明のもう一つの態様によれば、非リアルタイムトラヒックを伴う情報パケットを搬送する少なくとも一つの接続のピークレートを推定するための手段と、非リアルタイムトラヒックを伴う情報パケットを搬送する接続のための、推定されたピークレートより小さい所定の容量を予約する手段と、非リアルタイムトラヒックを伴う情報パケットとリアルタイムトラヒックを伴う情報パケットとを別個の待ち行列に仕分けするための手段と、充填度の最大限界を有する非リアルタイムトラヒック待ち行列が充填度の最大限界に到達したか否かを調べる手段と、非リアルタイムトラヒックを伴う情報パケットを前記非リアルタイムトラヒック待ち行列から除去するための手段とを備えるネットワーク要素が提供される。
【０００７】
本発明のもう一つの態様によれば、非リアルタイムトラヒックを伴う情報パケットを搬送する少なくとも一つの接続のピークレートを推定するための手段と、非リアルタイムトラヒックを伴う情報パケットを搬送する接続のための、推定されるピークレートより小さい所定の容量を予約するための手段と、非リアルタイムトラヒックを伴う情報パケットとリアルタイムトラヒックを伴う情報パケットを別個の待ち行列へ仕分けるための手段と、充填度の最大限界を有する非リアルタイム待ち行列が充填度の最大限界に到達したか否かを調べるための手段と、非リアルタイムトラヒックを伴う情報パケットを前記リアルタイムトラヒック待ち行列から除去するための手段とを備える基地局が提供される。
【０００８】
本発明のもう一つの態様によれば、非リアルタイムトラヒックを伴う情報パケットを搬送する少なくとも一つの接続のピークレートを推定するための手段と、非リアルタイムトラヒックを伴う情報パケットを搬送する接続のための、推定ピークレートより小さい所定の容量を予約するための手段と、非リアルタイムトラヒックを伴う情報パケットとリアルタイムトラヒックを伴う情報パケットとを別個の待ち行列に仕分けするための手段と、充填度の最大限界を有する非リアルタイムトラヒック待ち行列が充填度の最大限界に到達したか否かを調べるための手段と、非リアルタイムトラヒックを伴う情報パケットを、前記非リアルタイムトラヒック待ち行列から除去するための手段とを備える無線ネットワーク制御装置が提供される。
【０００９】
本発明のもう一つの態様によれば、非リアルタイムトラヒックを伴う情報パケットを搬送する少なくとも一つの接続のピークレートを推定し、非リアルタイムトラヒックを伴う情報パケットを搬送する接続のための、推定される非リアルタイムトラヒックより小さい所定の容量を予約し、推定されるピークレートより小さい所定の容量を送受信し、非リアルタイムトラヒックを伴う情報パケットとリアルタイムトラヒックを伴う情報パケットを別個の待ち行列へ仕分けし、充填度の最大限界を有する非リアルタイムトラヒック待ち行列が充填度の最大限界に到達したか否かを調べ、非リアルタイムトラヒックを伴う情報パケットを、前記リアルタイムトラヒック待ち行列から除去する基地局が提供される。
【００１０】
本発明のもう一つの態様によれば、非リアルタイムトラヒックを伴う情報パケットを搬送する少なくとも一つの接続のピークレートを推定し、非リアルタイムトラヒックを伴う情報パケットを搬送する接続のための、推定される非リアルタイムトラヒックより小さい所定の容量を予約し、非リアルタイムトラヒックを伴う情報パケットとリアルタイムトラヒックを伴う情報パケットを別個の待ち行列へ仕分けし、充填度の最大限界を有する非リアルタイムトラヒック待ち行列が充填度の最大限界に到達したか否かを調べ、非リアルタイムトラヒックを伴う情報パケットを、前記リアルタイムトラヒック待ち行列から除去する無線ネットワーク制御装置が提供される。
【００１１】
本発明のもう一つの態様によれば、非リアルタイムトラヒックを伴う情報パケットを搬送する少なくとも一つの接続のピークレートを推定し、非リアルタイムトラヒックを伴う情報パケットを搬送する接続のための、推定される非リアルタイムトラヒックより小さい所定の容量を予約し、非リアルタイムトラヒックを伴う情報パケットとリアルタイムトラヒックを伴う情報パケットを別個の待ち行列へ仕分けし、充填度の最大限界を有する非リアルタイムトラヒック待ち行列が充填度の最大限界に到達したか否かを調べ、非リアルタイムトラヒックを伴う情報パケットを、前記リアルタイムトラヒック待ち行列から除去するネットワーク要素が提供される。
【００１２】
本発明のもう一つの態様によれば、非リアルタイムトラヒックを伴う情報パケットを搬送する少なくとも一つの接続のピークレートを推定する第１のプロセッサと、非リアルタイムトラヒックを伴う情報パケットを搬送する接続のための、推定される非リアルタイムトラヒックより小さい所定の容量を予約する第２のプロセッサと、非リアルタイムトラヒックを伴う情報パケットとリアルタイムトラヒックを伴う情報パケットを別個の待ち行列へ仕分けする第３のプロセッサと、充填度の最大限界を有する非リアルタイムトラヒック待ち行列が充填度の最大限界に到達したか否かを調べる第４のプロセッサと、非リアルタイムトラヒックを伴う情報パケットを、前記リアルタイムトラヒック待ち行列から除去する第５のプロセッサとを備えるネットワーク要素が提供される。
【００１３】
本発明のもう一つの態様によれば、非リアルタイムトラヒックを伴う情報パケットを搬送する少なくとも一つの接続のピークレートを推定する第１のプロセッサと、非リアルタイムトラヒックを伴う情報パケットを搬送する接続のための、推定される非リアルタイムトラヒックより小さい所定の容量を予約する第２のプロセッサと、非リアルタイムトラヒックを伴う情報パケットとリアルタイムトラヒックを伴う情報パケットを別個の待ち行列へ仕分けする第３のプロセッサと、充填度の最大限界を有する非リアルタイムトラヒック待ち行列が充填度の最大限界に到達したか否かを調べる第４のプロセッサと、非リアルタイムトラヒックを伴う情報パケットを、前記リアルタイムトラヒック待ち行列から除去する第５のプロセッサを備える基地局が提供される。
【００１４】
本発明は複数の利点を有する。本発明の実施形態は、非リアルタイムユーザの制御されたオーバーブッキングの可能性を提供し、それは、高容量データサービスを採用することを容易にする。高密度トラヒックの場合であっても、システムは安定性を維持し、過負荷の後、より迅速に復旧する。したがって、通信システムにおけるより高いユーザスループットを可能とする。
【発明を実施するための最良の形態】
【００１５】
本発明は、実施形態および添付された図面を参照することでより詳細に説明される。
【００１６】
図１を参照して、本発明の実施形態が適用される通信システムの一例を検討する。本発明は様々な無線通信システムに適用することが可能である。そういった通信システムの一例はＵＭＴＳ（ユニバーサル・モバイル・テレコミュニケーション・システム）無線アクセスネットワークである。それは、ＷＣＤＭＡ（広域符号分割多重アクセス）技術を含み、リアルタイム回線およびパケット交換サービスを提供することも可能である無線アクセスネットワークである。しかし、本実施形態は、例として与えられるシステムに制限されるものではなく、当業者であればこの解決手段を、必要な特性が提供される他の無線システムへ適用し得る。
【００１７】
本発明に従う方法が異なる変調方法やエアーインタフェース標準規格を用いるシステムへ適用することが可能であることは、当業者にとっては明確である。
【００１８】
図１は、本発明が適用可能なデジタルデータ送信システムの単純化された図である。これは、加入者端末１０６および１０８への双方向性無線リンク１０２および１０４を有する基地局（またはノードＢ）１００を備えるセルラー無線システムの一部である。この加入者ターミナルは、固定されているかもしれないし、自動車に搭載されているかもしれないし、携帯されているかもしれない。この基地局は、例えば、送信器を有する。基地局の送信器から、アンテナユニットへの接続が存在し、それは、加入者端末への双方向無線リンクを確立する。この基地局は、さらに、これら端末の接続をネットワークの他の部分へ送信する、無線ネットワーク制御装置（ＲＮＣ）たる制御装置１１０へ接続される。この無線ネットワーク制御装置は、さらに、コアネットワーク１１０（ＣＮ）へ接続される。システムに依存して、ＣＮ側での対応部は移動通信交換局（ＭＳＣ）、メディアゲートウェイ（ＭＧＷ）、またはサービングＧＰＲＳ（汎用パケット無線システム）サポートノード（ＳＧＳＮ）となりうる。
【００１９】
セルラー無線システムは、公衆交換電話網やインターネットのような他のネットワークと通信を行なうこともできる。
【００２０】
次に、送信制御方法のある実施形態が、図２を用いて説明される。この実施形態は、無線通信システムの制御ユニットと基地局との間のインタフェースはオーバーブックされた状態となることを可能とする。なぜなら、過負荷状態を処理するための制御機構が利用可能だからである。原理的に、オーバーブッキングとは、ピークデータレートを達成するための無線アクセスキャリアによって要求されるものより、非リアルタイムトラヒックのためのより小さい転送容量を予約することで、より効率的に使用するための方法を意味する。
【００２１】
この実施形態は、接続のサービス要求に従って異なるサービス品質を有する異なる仮想チャネルへ、接続を経路指定することに基づく。リアルタイム（ｒｔ）トラヒックと非リアルタイムトラヒック（ｎｒｔ）は、別個の仮想チャネルへ分けられる。非リアルタイムトラヒックの典型的な例は、パケット交換データ接続である。
【００２２】
この実施形態は、ＡＴＭ転送に特に適している。ＡＴＭ（非同期転送モード）は、主に、高速転送および様々なデータ、音声およびビデオ信号のスイッチングのために使用される。ＵＭＴＳ（ユニバーサル・モバイル・テレコミュニケーション・システム）におけるコアネットワークはＡＴＭに基づいている。
【００２３】
通常、ＵＭＴＳにおいては、ＡＴＭレイヤの上位には、ＡＴＭアダプテーションレイヤがある。それは、ＡＴＭ転送のためのより上位のレイヤからのデータ処理のために使用される。一般的には、５つの異なるアダプテーションレイヤ０、１、２、３／４および５がある。アダプテーションレイヤタイプ０は、アダプテーションが必要ないことを意味する。その他のアダプテーションレイヤは、リアルタイム要求、ビットレートは一定か可変か、およびデータ転送はコネクション型またはコネクションレス型か、という３つの異なるパラメータに基づく異なる特性を有する。この実施形態は、ＡＡＬ２において主に使用され、それは、可変ビットレート（ＶＢＲ）、コネクション型および時間依存データトラヒックをサポートするＡＴＭアダプテーションレイヤである。
【００２４】
この実施形態は、ブロック２００において開始する。ブロック２０２においては、非リアルタイムトラヒックを伴う情報パケットを搬送する少なくとも一つの接続のピークレートを推定する。情報パケットは、例えば、データパケット、またはパケットと呼ぶこともまた可能である。この情報パケットはＡＡＬ２  ＣＰＳパケットであるかもしれない。ＣＰＳパケットは共通部サブレイヤを意味する。一般的には、非リアルタイムトラヒックを伴う情報パケットを搬送する各ＡＡＬ２接続ピークデータレートは、エアーインタフェースのために予約される容量に従って、計算される。この推定は、例えば、経験またはシミュレーションのような複数の方法に基づくことができる。例えば、３８４ｋｂｉｔｓ／ｓのような高容量パケット交換データサービスは、Ｉｕｂインタフェースから約５００ｋｂｉｔ／ｓを要求する。
【００２５】
ブロック２０４において、非リアルタイムトラヒックを伴う情報パケットを搬送する接続のために、推定ピークレートより小さい所定の容量が予約される。
【００２６】
この情報パケットは、例えば、ＡＡＬ２情報パケットであることが考えられる。ピークレートよりどの程度小さい容量が予約されるのかを、その接続における現在のまたは予測されるシステム負荷および転送されるトラヒックの重要性等の複数のパラメータを考慮することで決定することができる。選択された情報パケットのために、要求されたピークレートに従って容量を予約することもまた可能である。
【００２７】
情報パケットのためにピークレートより小さい容量が予約された場合、ユーザトラヒックを伴う、より多くのＡＡＬ２接続がＡＴＭ  ＶＣＣ（非同期転送モード仮想チャネル接続）において収容され得る。これは、この出願においては、オーバーブッキングと呼ぶ。ＶＣＣは、送信側と受信側との間のＡＴＭ接続を形成する、仮想チャネルリンクの連結である。
【００２８】
ブロック２０６において、非リアルタイムトラヒックを伴う情報パケットおよびリアルタイムトラヒックを伴う情報パケットが別個の待ち行列へ仕分けされる。非リアルタイムトラヒック待ち行列は、充填度の最大限界を有する。
【００２９】
一般的には、非リアルタイムトラヒックおよびリアルタイムトラヒックを伴うＡＡＬ２接続が別個のＡＡＬ２パス（ＡＴＭ  ＶＣＣの意）へ仕分けされる。従って、それらの接続における、このトラヒック（ＡＡＬ２  ＣＰＳパケット。ＣＰＳは共通サブレイヤの意。）は別個の待ち行列へ仕分けもされる。
【００３０】
この充填度の最大限界（例えば、ＡＡＬ  ＣＰＳパケットの数）が、現在の必要性に適しているようなやり方で、選択される。
【００３１】
非リアルタイムトラヒック待ち行列が充填度の最大限界に到達した場合、非リアルタイムを伴う情報パケットは、前記非リアルタイムトラヒック待ち行列から除去される（ブロック２０８、２１０）。
【００３２】
通常、先行技術においては、新たなパケットは、ＡＡＬ２待ち行列に入れられ、それは、過負荷状態という結果をもたらす。より上位のレイヤのパケット（ＦＰ、フレームプロトコル）は通過しないため、ユーザ端末はＲＬＣ（無線リンク制御）に再送信の要求を行なう。再送信がスケジュールされ、それは、輻輳を増加させる。より多くのトラヒックが既に満杯であるＡＡＬ２待ち行列に入ることを試みる。
【００３３】
ＵＭＴＳにおいては、フレームプロトコル（ＦＰ）は、一般的には、サービング無線ネットワーク制御装置（ＳＲＮＣ）および基地局（ＢＳ）との間で、ＩｕｂおよびＩｕｒインタフェースを介して、ユーザデータを転送するために使用される。
【００３４】
本実施形態における過負荷制御機構を使用することで、情報パケットが待ち行列から除去される。この待ち行列は、完全に空にすることが可能である。すなわち、選択された情報パケットだけが待ち行列から除去される。この除去は、異なる種類の原理に基づくことが考えられる。より重要でない接続からのパケットがまず除去される、輻輳が終了するまでパケットが除去される、待ち行列の所定数のパケットが除去される、輻輳を引き起こしたパケットが除去されるなどである。待ち行列が空にされた、すなわち、選択された情報パケットがそこから除去された後は、容量が使用可能であり、従って、エンドユーザスループットは改善される。実際には、スループットレベルは、通常、非リアルタイムユーザＶＣＣ（仮想チャネル接続）のディメンションにも依存する。
【００３５】
本実施形態は、ブロック２１２で終了する。
【００３６】
矢印２１４は、非リアルタイムトラヒック待ち行列が満杯でない場合、新たな使用可能な接続があれば、新たな情報パケットは待ち行列へ入れられ得ることを示している。矢印２１６は、本実施形態を反復する一つの可能性を示している。もし使用可能な新たな接続が存在する場合、この方法は反復される。
【００３７】
本発明の実施形態が適用可能であるネットワーク要素の次なる幾つかの例が説明される。
【００３８】
図３は、基地局（即ちノードＢ）の論理的構造の例を示す。基地局は、ここでは、ネットワーク要素の一例として考えられる。Ｉｕｂインタフェース３００側においては、基地局は二つのエンティティ、共通転送エンティティ３１６および複数のトラヒック端末ポイント（ＴＴＰ）３１８を備える。共通転送エンティティは、セルにおけるすべてのユーザ端末に共通である転送チャネルを表し、その転送チャネルは初期アクセスのために使用される。共通転送エンティティはまた、ランダムアクセスチャネル（ＲＡＣＨ）ポート、フォワードアクセスチャネル（ＦＡＣＨ）ポート、および共通パケットチャネル（ＣＰＣＨ）ポートのような、異なるデータポートを備える。
【００３９】
ＲＡＣＨは、ユーザ端末からの制御情報を搬送するために使用され、短いユーザパケットを搬送することもまた考えられるアップリンクチャネルであり、ＦＡＣＨは情報を受信するためにユーザ端末によって使用されるダウンリンク転送チャネルである。
【００４０】
共通転送エンティティはまた、運用および保守（Ｏ＆Ｍ）目的で使用される基地局（ノードＢ）制御ポートも備える。一つのトラヒック端末ポイント３１８は、複数の基地局通信コンテキストを備える。一つの通信コンテキストは、一つのユーザ端末に関連する一つのトラヒック端末ポイントにおける複数のアクティビティについての情報を有する。この通信コンテキストは、基地局において、一組の無線リンクを一緒に関連付けるために使用され得る。基地局通信コンテキストは、例えば、一つかそれより多い個別チャネル（ＤＣＨ）を備える。ダウンリンク共有チャネルもまた、基地局通信コンテキストに属する。
【００４１】
共通転送エンティティはまた、通信制御ポートを備える。
【００４２】
ＵＭＴＳネットワークインフラストラクチャの観点から、基地局は、ネットワーク機能管理を主題とした論理的Ｏ＆Ｍエンティティであると考えることができる。
【００４３】
Ｕｕ（ユーザインタフェース）側において、基地局は一般的にはセル３０２、３１０、３１２、３１４と呼ばれる複数の論理的エンティティを備える。一つのセルは一つかそれより多い送受信器（ＴＲＸ）３０４、３０６、３０８をその下に有する。この送受信器はデータ送信および受信に関連する様々な機能を実行する。
【００４４】
基地局の正確な実装は、ベンダ依存である。
【００４５】
ピークレート推定または情報パケットの除去といった本発明の本実施形態の開示された機能は、基地局の共通転送機能３１６においてソフトウェア手段によって有利に実装され得る。例えば、別個の論理的コンポーネントの構成された回路またはひとつかそれより多いクライアント特有の集積回路（特定用途向け集積回路。ＡＳＩＣ）といった異なるハードウェア実装のような、その他の実装手段もまた可能である。これらの実装のハイブリッドもまた実現可能である。
【００４６】
図４を参照すると、単純化されたブロック図が、無線ネットワーク制御装置（ＲＮＣ）論理的構造の例を示す。ＲＮＣは、ここでは、ネットワーク要素のその他の例として考えられる。
【００４７】
ＲＮＣは、ＵＴＲＡＮのスイッチングおよび制御要素である。スイッチ４００は、コアネットワークとユーザ端末との間の接続を処理する。無線ネットワーク制御装置は、Ｉｕｂ４０２およびＩｕ４１４インタフェースとの間に配置される。このネットワーク制御装置は、インタフェースユニット４０４、４１２を経由して、これらのインタフェースへ接続される。Ｉｕｒ４１６と呼ばれるＲＮＣ間送信のためのインタフェースもまた存在する。無線ネットワーク制御装置の機能は、二つのクラス、ＵＴＲＡＮ無線リソース管理４０８および制御機能４０６に分類される。運用および保守インタフェース機能４１０はネットワーク管理機能へおよびそこからの情報転送のための媒体として動作する。この無線リソース管理は、接続の品質および容量が適切となるための、無線パス接続を共有し、管理するためのアルゴリズムのグループである。最も重要な無線リソース管理アルゴリズムはハンドオーバ制御、電力制御、許可制御、パケットスケジューリング、およびコード管理である。ＵＴＲＡＮ制御機能は、基地局とユーザ端末との間の無線節像の設定、管理および開放に関連する機能を処理する。従って、上述のハードハンドオーバ方法は、主に、無線リソースブロック４０８およびＵＴＲＡＮ制御ブロック４０６において実行される。この無線リソースブロック４０８および制御機能ブロック４０６は、サービング無線ネットワーク制御装置の無線リソース制御（ＲＲＣ）ユニットを実行する（ＳＲＮＣ−ＲＲＣ）ために組み合わせることが可能である。
【００４８】
無線ネットワーク制御装置の正確な実装は、ベンダ依存である。
【００４９】
ピークレート推定または情報パケット除去といった、本発明のこれらの実施形態の開示された機能は、無線ネットワーク制御装置の運用および保守インタフェース機能４１０においてソフトウェア手段によって有利に実装されることが可能である。例えば、別個の論理的コンポーネントの構成された回路またはひとつかそれより多いクライアント特有の集積回路（特定用途向け集積回路。ＡＳＩＣ）といった異なるハードウェア実装のような、その他の実装手段もまた可能である。これらの実装のハイブリッドもまた実現可能である。
【００５０】
これらの実施形態は、ＭＳＣ（移動通信交換局）においても実施される。通信システムのスイッチングセンターを意味するために時々使用される幾つかのその他の略語としては、ＭＴＸ、ＵＳＣおよびＭＸが挙げられる。このスイッチングセンターは、要求されるスイッチング機能を実行し、その他のネットワークとの連携を制御するネットワーク要素である。
【００５１】
本発明は、添付された図面に従う例を参照しながら上述されたが、本発明がそれらに制限されず、添付された特許請求の範囲の範囲内で複数の方法によって修正され得ることは明確である。
【図面の簡単な説明】
【００５２】
【図１】図１は通信システムの一例である。
【図２】図２はフローチャートである。
【図３】図３は基地局（ノードＢ）の一例を示す。
【図４】図４は無線ネットワーク制御装置の一例を示す。
【図１】
2008502245.tif 000003
【図２】
2008502245.tif 000004
【図３】
2008502245.tif 000005
【図４】
2008502245.tif 000006
【国際調査報告】
2008502245.tif 000007
2008502245.tif 000008